(57)【要約】【課題】  使用済み紙おむつを短時間に炭化処理して再利用可能なリサイクル資源を低コストで得る使用済み紙おむつの処理装置を提供する。【解決手段】  使用済み紙おむつｐを細片ｓに粉砕する粉砕機３を設け、同粉砕機３で粉砕された細片ｓを撹拌する撹拌機６を設け、同撹拌機６で撹拌される細片ｓにオゾンを散布する電気式オゾン散布機７を設け、撹拌機６で撹拌された細片ｓを周囲から４００〜７００℃に加熱して炭化させる発熱機９を設け、発熱機９で加熱される細片ｓに紫外線を照射するＵＶランプ１１を設け、発熱機９に細片ｓを加熱しながら撹拌する撹拌羽根１０を設けた。【選択図】図１
2006272203.tif 000002
【特許請求の範囲】
【請求項１】
使用済みの紙おむつを細片に破砕する破砕機を設け、同破砕機で破砕された細片を撹拌機で撹拌しながら殺菌する殺菌室を設け、同殺菌室で殺菌された細片を減圧状態で周囲から高温に加熱して炭化させる電熱機を備えた炭化室を設けたことを特徴とする、使用済み紙おむつの処理装置。
【請求項２】
殺菌室が、撹拌される細片にオゾンを散布するオゾン散布機を備えたものである、請求項１記載の使用済み紙おむつの処理装置。
【請求項３】
オゾン散布機が、オゾン発生とその散布とを電気を用いて行う電気式オゾン散布機である、請求項２記載の使用済み紙おむつの処理装置。
【請求項４】
電熱機で加熱される細片に紫外線を照射する紫外線照射機を炭化室に設けた、請求項１〜３何れか記載の使用済み紙おむつの処理装置。
【請求項５】
炭化室に細片を加熱しながら撹拌する撹拌羽根を設けた、請求項１〜４いずれか記載の使用済み紙おむつの処理装置。
【請求項６】
細片の加熱温度が４００〜７００℃の範囲である、請求項１〜５いずれか記載の使用済み紙おむつの処理装置。
【発明の詳細な説明】
【技術分野】
【０００１】
本発明は、使用済みの紙おむつを炭化処理して再利用可能な資源にリサイクルできるようにする処理装置に関する。
【背景技術】
【０００２】
現在、紙おむつは子供用で約２０６千トン，大人用で１３４千トン生産されている。使用後は使用前の約４〜５倍の重量となるため、子供用で約１０３０千トン，大人用で約６７０千トン，合計で１７００千トンが廃棄物として焼却処理されている。ところで、焼却処理はダイオキシンや焼却灰の処分場，二酸化炭素の排出等の問題が生じる。このことは環境問題や地球温暖化の一因となっており、早急なリサイクル化が必要不可欠である。
【０００３】
そこで、現在ではリサイクル方法として、
１）使用済み紙おむつを破砕後、パルプを分離回収して再生紙を得、汚水は微生物処理して土壌改良材として用いる。
２）使用済み紙おむつを高温に加熱して炭化し、その炭化物を燃料等として利用する。
等の方法が提案されている。後者の方法は前者の方法と比較して処理時間が短く低コストで処理が可能である。本発明はこの後者の方法に有用な処理装置を提供するものである。
【特許文献１】特開２０００−３１３８８４号公報
【発明の開示】
【発明が解決しようとする課題】
【０００４】
本発明が解決しようとする課題は、従来のこれらの問題点を解消し、使用済み紙おむつを短時間に炭化処理して再利用可能な資源を低コストでリサイクルできるようにする使用済み紙おむつの処理装置を提供することにある。
【課題を解決するための手段】
【０００５】
かかる課題を解決した本発明の構成は、
１）  使用済みの紙おむつを細片に破砕する破砕機を設け、同破砕機で破砕された細片を撹拌機で撹拌しながら殺菌する殺菌室を設け、同殺菌室で殺菌された細片を減圧状態で周囲から高温に加熱して炭化させる電熱機を備えた炭化室を設けたことを特徴とする、使用済み紙おむつの処理装置
２）  殺菌室が、撹拌される細片にオゾンを散布するオゾン散布機を備えたものである、前記１）記載の使用済み紙おむつの処理装置
３）  オゾン散布機が、オゾン発生とその散布とを電気を用いて行う電気式オゾン散布機である、前記２）記載の使用済み紙おむつの処理装置
４）  電熱機で加熱される細片に紫外線を照射する紫外線照射機を炭化室に設けた、前記１）〜３）何れか記載の使用済み紙おむつの処理装置
５）  炭化室に細片を加熱しながら撹拌する撹拌羽根を設けた、前記１）〜４）いずれか記載の使用済み紙おむつの処理装置
６）  細片の加熱温度が４００〜７００℃の範囲である、前記１）〜５）いずれか記載の使用済み紙おむつの処理装置
にある。
【発明の効果】
【０００６】
本発明によれば、使用済みの紙おむつが粉砕機で細片に粉砕され、粉砕された細片が撹拌機で撹拌されて発熱機で周囲から高温に加熱され、細片の水分が蒸発して５〜１５％に減量して炭化する。このように、本発明によれば、使用済み紙おむつを短時間に炭化処理して再利用可能なリサイクル資源を得る使用済み紙おむつの処理装置を提供できる。
【発明を実施するための最良の形態】
【０００７】
本発明の撹拌機には、撹拌中の細片から飛散する水分中の細菌を殺菌するため、オゾン（Ｏ3）を散布するオゾン散布機が設けられる。オゾン散布機としては、電気式，薬剤式等が用いられ、散布量としては２５〜１５０ｐｐｍの範囲が実用的である。化学式Ｏ3 は、液浸するため、良性の発酵菌も殺すため、電気式は室内の後処理洗浄が不安で過剰Ｏ3 も気流中の自然分解によって消失するため電気式の方が都合が良い。
【０００８】
炭化室としては、電熱機で加熱して周囲から均等に加熱する容器状のものが用いられ、例えば電磁照射マイクロウェーブ，紫外線照射機といったもので、出力０．２〜０．７５ｋＷの範囲のものが実用的である。この発熱機には細片を均一に加熱させて炭化させるため撹拌用の撹拌羽根を設けるとよい。以下、本発明の実施例を図面に基づいて具体的に説明する。
【実施例１】
【０００９】
図１は実施例の使用済み紙おむつの処理装置の説明図である。図中、１は装置本体、２は投入口、３は粉砕機、４は撹拌室、５はギヤードモータ、６は撹拌機、７は電気式オゾン散布機、８はゲート、９は発熱機、１０は撹拌羽根、１１はＵＶランプ、１２はゲート、１３はシュート、１４はオゾン発生機、１５はコンプレッサ、１６は電熱機、１７はコントロールパネル、１８は容器、Ｃは炭化物、ｐは使用済み紙おむつ、ｓは細片である。
【００１０】
本実施例の処理装置は、図１に示すように装置本体１の上部に使用済み紙おむつｐを投入する投入口２を設け、投入口２の下方に投入された使用済み紙おむつｐを細片に粉砕する粉砕機３を取り付け、粉砕機３の下方に撹拌室４を設けて複数本の鋭利な羽根を有したギヤードモータ５で回転する撹拌機６を横方向に設け、撹拌機６の上方に撹拌中の細片ｓを殺菌するオゾン散布機７を取り付けている。
【００１１】
撹拌室４の底部には粉砕された細片ｓを排出するゲート８を図示しないエアシリンダで開閉自在に設け、細片ｓの排出先に容器状の発熱機９を設け、発熱機９の底部に加熱される細片ｓを撹拌する撹拌羽根１０を図示しないモータで回転自在に設け、発熱機９の上方に加熱される細片ｓへ紫外線を照射するＵＶランプ１１を取り付け、発熱機９の下部側面に炭化物Ｃをゲート１２で開口して排出するシュート１３を設けている。
【００１２】
その他、装置本体１には電気式オゾン散布機７にオゾンを供給するオゾン発生機１４を設け、ゲート８及びゲート１２の図示しないエアシリンダに圧縮空気を供給するコンプレッサ１５を設け、発熱機９を加熱させる電熱機１６を設け、各機器を制御するコントロールパネル１７を設けている。
【００１３】
本実施例では、使用済み紙おむつｐを投入口２へ投入すると、粉砕機３で粒径５〜２５ｍｍ程の大きさの細片ｓに粉砕されて下方の撹拌室４に落下する。撹拌室４では撹拌機６がギヤードモータ５で毎分６回転しているとともにオゾン散布機７でオゾンが毎分１００ｐｐｍの量を散布しており、落下した細片ｓは撹拌機６で撹拌されながらオゾンで均一に殺菌・消毒処理されて底部に貯留する。
【００１４】
撹拌室４の底部に一定量の細片ｓが貯留すると、ゲート８を開口して細片ｓを発熱機９内へ自重で送り込む。発熱機９内は電熱機１６で約５００℃前後に加熱されているとともに撹拌羽根１０が毎分６回転しており、この高温雰囲気中に送り込まれて細片ｓが高速で撹拌されながら周囲から均一に加熱され、およそ３〜５時間で完全に炭化する。その後、炭化物Ｃはシュート１３で装置本体１外から容器１８へ取り出される。
【００１５】
本実施例ではこのように構成したから、投入された使用済み紙おむつｐに対して取り出された炭化物Ｃは体積で１００／１〜１００／３、重量で１００／０．５〜１００／５に減量された。また、処理に要した時間は０．５時間／ｋｇであった。この炭化物Ｃは５００℃前後の高温で加熱処理しているから細菌の繁殖もなく臭いもほとんど無いものであり、燃料，消臭材，土壌改良材等に有効に再利用されることとなる。
【産業上の利用可能性】
【００１６】
本発明は主として使用済み紙おむつに使用されるものであるが、これに限定されるものではなく、例えば尿取りパッド，失禁パンツ，ナプキン，ライナー，ティッシュ類の衛生用品に全て適用できるものである。
【図面の簡単な説明】
【００１７】
【図１】実施例の使用済み紙おむつの処理装置の説明図である。
【符号の説明】
【００１８】
１  装置本体
２  投入口
３  粉砕機
４  撹拌室
５  ギヤードモータ
６  撹拌機
７  電気式オゾン散布機
８  ゲート
９  発熱機
１０  撹拌羽根
１１  ＵＶランプ
１２  ゲート
１３  シュート
１４  オゾン発生機
１５  コンプレッサ
１６  電熱機
１７  コントロールパネル
１８  容器
Ｃ  炭化物
ｐ  使用済み紙おむつ
ｓ  細片
【図１】
2006272203.tif 000003